(57)【特許請求の範囲】
【請求項１】
コンタクトレンズを内蔵したパッケージと、
このパッケージに着脱自在に貼着され、前記コンタクトレンズの少なくとも度数、レンズの曲面の度合いを表示した表示体と、販売店が管理する処方箋又は指示書とを備え、
患者に前記パッケージを手渡すとき、前記パッケージから前記表示体を剥がして、剥がした前記表示体を前記処方箋又は指示書に貼着する
ことを特徴とする販売店が管理する処方箋又は指示書の管理方法。
【請求項２】
コンタクトレンズを内蔵したパッケージと、
このパッケージに着脱自在に貼着され、前記コンタクトレンズの少なくとも度数、レンズの曲面の度合い、製造ロットを表示した表示体と、販売店が管理する処方箋又は指示書とを備え、
患者に前記パッケージを手渡すとき、前記パッケージから前記表示体を剥がして、剥がした前記表示体を前記処方箋又は指示書に貼着する
ことを特徴とする販売店が管理する処方箋又は指示書の管理方法。
【請求項３】
コンタクトレンズを内蔵したパッケージと、
このパッケージに着脱自在に貼着され、前記コンタクトレンズの少なくとも製造ロットを表示した表示体と、販売店が管理する処方箋又は指示書とを備え、
患者に前記パッケージを手渡すとき、前記パッケージから前記表示体を剥がして、剥がした前記表示体を前記処方箋又は指示書に貼着する
ことを特徴とする販売店が管理する処方箋又は指示書の管理方法。
【請求項４】
表示体には、コンタクトレンズの右又は左を識別できる表示部が含まれている
ことを特徴とする請求項１又は２記載の販売店の管理する処方箋又は指示書の管理方法。
【請求項５】
製造ロットは、表示体にバーコードで表示されている
ことを特徴とする請求項３記載の販売店の管理する処方箋又は指示書の管理方法。
【発明の詳細な説明】
【技術分野】
【０００１】
本発明は、販売店が管理する処方箋又は指示書の管理方法に係り、特に、処方箋又は指示書への記入ミス、記入漏れを防ぐことができる販売店が管理する処方箋又は指示書の管理方法に関する。
【背景技術】
【０００２】
従来、市販されているコンタクトレンズを内蔵したパッケージには、コンタクトレンズの規格を示す度数、レンズの曲面の度合い、使用期限等が印刷されている。
【発明の概要】
【発明が解決しようとする課題】
【０００３】
眼科医が患者の検眼及び眼の検査後、トライアルレンズを用いてコンタクトレンズを処方し、必要な事項を記載した処方箋又は指示書を患者に渡す。
患者は上記処方箋又は指示書をコンタクトレンズ販売店に持って行き、患者の特定のコンタクトレンズを購入する。
その際、コンタクトレンズは高度管理医療機器クラス３に分類されており、そのため高度管理医療機器等営業管理者としての資格を受けた販売員がどのコンタクトレンズを誰に販売したかを記録することが義務付けられているが、記入ミス、記入漏れが生じるという問題点を有する。
【０００４】
本発明は、上記要望を考慮してなされた販売店が管理する処方箋又は指示書の管理方法を提供することを目的とする。
【課題を解決するための手段】
【０００５】
請求項１記載の販売店が管理する処方箋又は指示書の管理方法は、コンタクトレンズを内蔵したパッケージと、このパッケージに着脱自在に貼着され、前記コンタクトレンズの少なくとも度数、レンズの曲面の度合いを表示した表示体と、販売店が管理する処方箋又は指示書とを備え、患者に前記パッケージを手渡すとき、前記パッケージから前記表示体を剥がして、剥がした前記表示体を前記処方箋又は指示書に貼着するものである。
【０００６】
また、請求項２記載の販売店が管理する処方箋又は指示書の管理方法は、コンタクトレンズを内蔵したパッケージと、このパッケージに着脱自在に貼着され、前記コンタクトレンズの少なくとも度数、レンズの曲面の度合い、製造ロットを表示した表示体と、販売店が管理する処方箋又は指示書とを備え、患者に前記パッケージを手渡すとき、前記パッケージから前記表示体を剥がして、剥がした前記表示体を前記処方箋又は指示書に貼着するものである。
【０００７】
また、請求項３記載の販売店が管理する処方箋又は指示書の管理方法は、コンタクトレンズを内蔵したパッケージと、このパッケージに着脱自在に貼着され、前記コンタクトレンズの少なくとも製造ロットを表示した表示体と、販売店が管理する処方箋又は指示書とを備え、患者に前記パッケージを手渡すとき、前記パッケージから前記表示体を剥がして、剥がした前記表示体を前記処方箋又は指示書に貼着するものである。
【０００８】
また、請求項４記載の販売店が管理する処方箋又は指示書の管理方法は、請求項１又は２記載の販売店の管理する処方箋又は指示書の管理方法において、表示体には、コンタクトレンズの右又は左を識別できる表示部が含まれているものである。
【０００９】
また、請求項５記載の販売店が管理する処方箋又は指示書の管理方法は、請求項３記載の販売店の管理する処方箋又は指示書の管理方法において、製造ロットは、表示体にバーコードで表示されているものである。
【発明の効果】
【００１５】
請求項１記載の販売店が管理する処方箋又は指示書の管理方法によれば、患者にコンタクトレンズを内蔵したパッケージを手渡すとき、パッケージからコンタクトレンズの少なくとも度数、レンズの曲面の度合いを表示した表示体を表示した表示体を剥がして、剥がした表示体を販売店が管理する処方箋又は指示書に貼着するため、記入ミス、記入漏れを防ぐと共に、表示体の記載と処方箋又は指示書の記載のダブルチェックができ、コンタクトレンズが正しく販売されているかの確認を表示体の有効活用を図って行うことができ、その結果、患者への手渡しミスをなくすことができ、しかも、患者へ手渡した後も、表示体の記載と処方箋又は指示書の記載の照合もできるため、追跡調査も可能となる。
【００１６】
また、請求項２記載の販売店が管理する処方箋又は指示書の管理方法によれば、患者にコンタクトレンズを内蔵したパッケージを手渡すとき、パッケージからコンタクトレンズの少なくとも度数、レンズの曲面の度合い、製造ロットを表示した表示体を表示した表示体を剥がして、剥がした表示体を販売店が管理する処方箋又は指示書に貼着するため、記入ミス、記入漏れを防ぐと共に、表示体の記載と処方箋又は指示書の記載のダブルチェックができ、コンタクトレンズが正しく販売されているかの確認を表示体の有効活用を図って行うことができ、その結果、患者への手渡しミスをなくすことができ、しかも、患者へ手渡した後も、表示体の記載と処方箋又は指示書の記載の照合もでき、更に、コンタクトレンズの製造時の不具合により、回収する必要が生じた場合、前記販売店が管理する処方箋又は指示書により追跡調査が容易で、不具合のコンタクトレンズを容易に回収することができる等の効果を奏する。
【００１７】
また、請求項３記載の販売店が管理する処方箋又は指示書の管理方法によれば、患者にコンタクトレンズを内蔵したパッケージを手渡すとき、パッケージからコンタクトレンズの少なくとも、製造ロットを表示した表示体を表示した表示体を剥がして、剥がした表示体を販売店が管理する処方箋又は指示書に貼着するため、記入ミス、記入漏れを防ぐと共に、コンタクトレンズの製造時の不具合により、回収する必要が生じた場合、表示体の有効活用を図って、前記販売店が管理する処方箋又は指示書により追跡調査が容易で、不具合のコンタクトレンズを容易に回収することができる。
【図面の簡単な説明】
【００２１】
【図１】図１は、本発明の一実施例のコンタクトレンズ包装体の概略的斜視図である。
【図２】図２は、図１のコンタクトレンズ包装体から表示体を剥がした状態の概略的斜視図である。
【図３】図３は、図２の剥がした表示体をカルテに貼着した状態のカルテの概略的正面図である。
【図４】図４は、図１のコンタクトレンズ包装体と異なる他の実施例のコンタクトレンズ包装体の概略的斜視図である。
【発明を実施するための形態】
【００２２】
本発明の一実施例の販売店が管理する処方箋又は指示書の管理方法及びコンタクトレンズ包装体を図面を参照して説明する。
図１に示すＰはコンタクトレンズ包装体で、コンタクトレンズ包装体Ｐは、図示しないコンタクトレンズを内蔵したパッケージ１と、表示体２とを有している。
【００２３】
表示体２は、パッケージ１に着脱自在に貼着され、前記コンタクトレンズの規格を示す少なくとも度数、レンズの曲面の度合い、レンズ径、使用期限、製造番号、製造ロット、製造年月日を表示したものである。
表示体２は、「前記コンタクトレンズの規格を示す度数、レンズの曲面の度合い（曲率）、使用期限を表示する第１の表示部２１」と、「製造番号、製造ロット、製造年月日を表示する第２の表示部２２」とを有する。
第１の表示部２１に表示された「Ｄ  −３．７５」の「 ?（マイナス）」は近視を、「３．７５」は度数（屈折度数）を、それぞれ表している。
また、第１の表示部２１に表示された「ＢＣ  ８．５」の「ＢＣ」はレンズの曲面の度合い（曲率）を、「８．５」は 半径が８．５ミリの円のカーブを、それぞれ表している。
また、第２の表示部２２に表示された「縞模様状の線の太さによって数値や文字を表す識別子であるバーコード」で、短いバーコードには、商品名、製造ロット（いつ、どのラインで製造されたか）、度数、曲率が、長いバーコードには、商品名、製造ロット（いつ、どのラインで製造されたか）、度数、曲率、箱番号（その箱固有の番号）が、それぞれ表示されている。
なお、本実施例の第２の表示部２２の表示として、バーコードを用いたが、本願発明にあっては、バーコードに限らず、バーコードの代わりにＱＲコード（登録商標）（２次元バーコード）としても良い。
また、表示体２は、コンタクトレンズの規格を示す度数、レンズの曲面の度合い（曲率）、レンズ径、使用期限、製造番号、製造ロット、製造年月日を表示したものが望ましいが、場合により、表示体２は、コンタクトレンズの少なくとも度数、レンズの曲面の度合い、製造ロットを表示したものでも良く、また、場合により、表示体２は、コンタクトレンズの少なくとも度数、レンズの曲面の度合いを表示したものでも良く、また、場合により、表示体２は、コンタクトレンズの少なくとも製造ロットを表示したものでも良い。
【００２４】
従って、販売店が管理する処方箋又は指示書の管理方法（又はコンタクトレンズ包装体Ｐ）によれば、眼科医が患者の検眼及び眼の検査後、トライアルレンズを用いてコンタクトレンズを処方し、必要な事項を記載した処方箋（又は指示書）３を患者に渡す。
患者は処方箋（又は指示書）３をコンタクトレンズ販売店に持って行き、患者の特定のコンタクトレンズを購入する。
その際、高度管理医療機器等営業管理者としての資格を受けた販売員がどのコンタクトレンズを誰に販売したかを記録することが義務付けられているため、患者にコンタクトレンズを内蔵したパッケージ１を手渡すとき、パッケージ１から前記コンタクトレンズの少なくとも度数、レンズの曲面の度合い、製造ロットを表示した表示体２を剥がして、剥がした表示体２を処方箋（又は指示書）３に貼着する。
その結果、処方箋（又は指示書）３への記入ミス、記入漏れを防ぐと共に、表示体２の記載と処方箋（又は指示書）３の記載のダブルチェックができ、コンタクトレンズが正しく販売されているかの確認を表示体２の有効活用を図って行うことができ、その結果、患者への手渡しミスをなくすことができ、しかも、患者へ手渡した後も、表示体２の記載と処方箋（又は指示書）３の記載の照合もでき、更に、コンタクトレンズの製造時の不具合により、回収する必要が生じた場合、販売店が管理する処方箋（又は指示書）３により追跡調査が容易で、不具合のコンタクトレンズを容易に回収することができる
【００２５】
なお、表示体２がコンタクトレンズの少なくとも度数、レンズの曲面の度合いを表示したものにあっては、患者にコンタクトレンズを内蔵したパッケージ１を手渡すとき、パッケージ１からコンタクトレンズの少なくとも度数、レンズの曲面の度合いを表示した表示体２を表示した表示体２を剥がして、剥がした表示体２を販売店が管理する処方箋（又は指示書）３に貼着するため、記入ミス、記入漏れを防ぐと共に、表示体２の記載と処方箋（又は指示書）３の記載のダブルチェックができ、コンタクトレンズが正しく販売されているかの確認を表示体２の有効活用を図って行うことができ、その結果、患者への手渡しミスをなくすことができ、しかも、患者へ手渡した後も、表示体２の記載と処方箋（又は指示書）３の記載の照合もできるため、追跡調査も可能となる。
【００２６】
また、表示体２がコンタクトレンズの少なくとも製造ロットを表示したものにあっては、患者にコンタクトレンズを内蔵したパッケージ１を手渡すとき、パッケージ１からコンタクトレンズの少なくとも、製造ロットを表示した表示体２を剥がして、剥がした表示体２を販売店が管理する処方箋（又は指示書）３に貼着するため、記入ミス、記入漏れを防ぐと共に、コンタクトレンズの製造時の不具合により、回収する必要が生じた場合、表示体２の有効活用を図って、販売店が管理する処方箋（又は指示書）３により追跡調査が容易で、不具合のコンタクトレンズを容易に回収することができる。
【００２７】
また、図１、図２のコンタクトレンズ包装体Ｐにあっては、表示体２を剥がしてしまうと、コンタクトレンズ包装体Ｐの側には、表示体２が喪失されるが、場合により、表示体２と同様に、図４に示すように、表示体２を剥がしても、コンタクトレンズ包装体Ｐの側には、「前記コンタクトレンズの規格を示す少なくとも度数、レンズの曲面の度合いを示する第１の表示部２１’」、「使用期限、製造番号、製造ロット、製造年月日を表示する第２の表示部２２’」を有する表示体２’を残存するようにしても良い。
また、コンタクトレンズ包装体Ｐを、図示しないが、右用（例えば、Ｒ、青色）、左用（例えば、Ｌ、赤色）で差別化を図るようにしても良いし、また、表示体２にコンタクトレンズの右又は左を識別できる「右用（例えば、Ｒ、青色）、左用（例えば、Ｌ、赤色）」等の表示部を含むようにしても良い。
【符号の説明】
【００２８】
Ｐ      コンタクトレンズ包装体
１      パッケージ
２      表示体
３      処方箋（又は指示書）
【要約】
【課題】
本発明の目的は、処方箋又は指示書への記入ミス、記入漏れを防ぐことができる販売店が管理する処方箋又は指示書の管理方法を提供するものである。
【解決手段】
販売店が管理する処方箋又は指示書の管理方法は、コンタクトレンズを内蔵したパッケージ１と、このパッケージ１に着脱自在に貼着され、前記コンタクトレンズの少なくとも度数、レンズの曲面の度合いを表示した表示体２と、販売店が管理する処方箋又は指示書３とを備え、患者にパッケージ１を手渡すとき、パッケージ１から表示体２を剥がして、剥がした表示体２を処方箋又は指示書３に貼着するものである。
【選択図】図２【図１】
0005970115.tif 000002
【図２】
0005970115.tif 000003
【図３】
0005970115.tif 000004
【図４】
0005970115.tif 000005